(57)【要約】  無線通信ネットワークにおける、高速シグナリング制御チャネル（ＨＳ−ＳＣＣＨ）送信などの、ただし、これに限らない、ダウンリンク制御チャネル送信をエンコードおよびデコードするための方法および装置。ダウンリンク制御チャネル送信をエンコードするためのネットワークノードにおける方法は、チャネル状態がしきい値レベルを下回ると決定することと、チャネル状態がしきい値レベルを下回るという決定に応答して、１つまたは複数の既定の制御情報ビットをダウンリンク制御チャネル送信にエンコードすること、および、１つまたは複数の制御情報ビットを省略することによって、減少された数の制御情報ビットをダウンリンク制御チャネル送信にエンコードすることであって、省略された１つまたは複数の制御情報ビットが既定の制御情報ビットである、エンコードすること、のうちの少なくとも１つを実行することと、を含む方法。本方法は、ダウンリンク制御チャネル送信をユーザ機器に送信することをさらに含む。ダウンリンク制御チャネル送信をデコードするためのユーザ機器における方法は、ダウンリンク制御チャネル送信を受信することと、既定の制御情報ビットの知識に基づいてダウンリンク制御チャネル送信をデコードすることとを含む。【選択図】図２
2019530300.tif 000002
【特許請求の範囲】
【請求項１】
ダウンリンク制御チャネル送信をエンコードするためのネットワークノードにおける方法であって、
チャネル状態がしきい値レベルを下回ると決定することと、
チャネル状態が前記しきい値レベルを下回るという決定に応答して、
１つまたは複数の既定の制御情報ビットを前記ダウンリンク制御チャネル送信にエンコードすること、および
１つまたは複数の制御情報ビットを省略することによって、減少された数の制御情報ビットを前記ダウンリンク制御チャネル送信にエンコードすることであって、省略された前記１つまたは複数の制御情報ビットが既定の制御情報ビットである、エンコードすること
のうちの少なくとも１つを実行することと、
前記ダウンリンク制御チャネル送信をユーザ機器に送信することと
を含む、方法。
【請求項２】
チャネル状態が前記しきい値レベルを下回るという決定に応答して、１つまたは複数の既定の制御情報ビットを前記ダウンリンク制御チャネル送信にエンコードすることを含む、請求項１に記載の方法。
【請求項３】
チャネル状態が前記しきい値レベルを下回るという決定に応答して、１つまたは複数の制御情報ビットを省略することによって、減少された数の制御情報ビットを前記ダウンリンク制御チャネル送信にエンコードすることであって、省略された前記１つまたは複数の制御情報ビットが既定の制御情報ビットである、エンコードすることを含む、請求項１に記載の方法。
【請求項４】
前記減少された数の制御情報ビットを前記ダウンリンク制御チャネル送信にエンコードすることが、省略された前記１つまたは複数の制御情報ビットの合計数に応じてレートマッチングを適用することを含む、請求項３に記載の方法。
【請求項５】
チャネル状態がしきい値レベルを下回ると決定することが、前記ユーザ機器からチャネル品質インジケータ（ＣＱＩ）を受信すること、および前記チャネル品質インジケータ（ＣＱＩ）を使用してチャネル状態が前記しきい値レベルを下回ると決定することを含む、請求項１から４のいずれか一項に記載の方法。
【請求項６】
前記ダウンリンク制御チャネル送信が、高速シグナリング制御チャネル（ＨＳ−ＳＣＣＨ）である、請求項１から５のいずれか一項に記載の方法。
【請求項７】
前記既定の制御情報ビットが、１つまたは複数のチャネライゼーションコードセット情報および変調方式情報ビットを含む、請求項６に記載の方法。
【請求項８】
ダウンリンク制御チャネル送信をデコードするためのユーザ機器における方法であって、
ネットワークノードからダウンリンク制御チャネル送信を受信することと、
既定の制御情報ビットの知識に基づいて前記ダウンリンク制御チャネル送信をデコードすることと
を含み、
前記ダウンリンク制御チャネル送信が、１つもしくは複数の既定の制御情報ビットを搬送するか、または、前記ダウンリンク制御チャネル送信が減少された数の制御情報ビットを搬送するように、１つもしくは複数の既定の制御情報ビットを省略する、方法。
【請求項９】
前記ダウンリンク制御チャネル送信が、１つまたは複数の既定の制御情報ビットを搬送する、請求項８に記載の方法。
【請求項１０】
前記既定の制御情報ビットの知識に基づいて前記ダウンリンク制御チャネル送信をデコードすることが、前記ダウンリンク制御チャネル送信の一部分を決定することにおける使用のために符号語のセットの既定のサブセットを使用して、前記ダウンリンク制御チャネル送信の前記一部分をデコードすることを含む、請求項９に記載の方法。
【請求項１１】
前記ダウンリンク制御チャネル送信が、減少された数の制御情報ビットを搬送するように、前記ダウンリンク制御チャネル送信が、１つまたは複数の既定の制御情報ビットを省略する、請求項８に記載の方法。
【請求項１２】
前記既定の制御情報ビットの知識に基づいて前記ダウンリンク制御チャネル送信をデコードすることが、省略された前記１つまたは複数の制御情報ビットの合計数に応じてレートマッチングを適用することを含む、請求項１１に記載の方法。
【請求項１３】
チャネル品質インジケータ（ＣＱＩ）を前記ネットワークノードに送ることを含む、請求項８から１２のいずれか一項に記載の方法。
【請求項１４】
チャネル状態がしきい値レベルを下回ると決定することと、チャネル状態がしきい値レベルを下回るという決定に応答して、前記既定の制御情報ビットの知識に基づいて前記ダウンリンク制御チャネル送信をデコードすることとを含む、請求項８から１３のいずれか一項に記載の方法。
【請求項１５】
チャネル状態がしきい値レベルを下回ると決定することが、チャネル品質インジケータ（ＣＱＩ）内で前記ネットワークノードに報告される情報を使用して、チャネル状態が前記しきい値レベルを下回ると決定することを含む、請求項１４に記載の方法。
【請求項１６】
前記ダウンリンク制御チャネル送信が、高速シグナリング制御チャネル（ＨＳ−ＳＣＣＨ）である、請求項８から１５のいずれか一項に記載の方法。
【請求項１７】
前記ダウンリンク制御チャネルの前記一部分が、高速シグナリング制御チャネル（ＨＳ−ＳＣＣＨ）のパート１である、請求項１０に記載の方法。
【請求項１８】
プロセッサによって実行されるとき、請求項１から１７のいずれか一項に記載の方法を前記プロセッサに実行させるコンピュータ可読命令を含む、コンピュータプログラム。
【請求項１９】
チャネル状態がしきい値レベルを下回ると決定することと、
チャネル状態が前記しきい値レベルを下回るという決定に応答して、１つまたは複数の既定の制御情報ビットをダウンリンク制御チャネル送信にエンコードすること、または
１つまたは複数の制御情報ビットを省略することによって、減少された数の制御情報ビットを前記ダウンリンク制御チャネル送信にエンコードすることであって、省略された前記１つまたは複数の制御情報ビットが既定の制御情報ビットである、エンコードすることと、
前記ダウンリンク制御チャネル送信をユーザ機器に送信することと、
を行うように設定される、ネットワークノード。
【請求項２０】
前記ネットワークノードが、チャネル状態が前記しきい値レベルを下回るという決定に応答して、１つまたは複数の既定の制御情報ビットを前記ダウンリンク制御チャネル送信にエンコードするように設定される、請求項１９に記載のネットワークノード。
【請求項２１】
前記ネットワークノードが、チャネル状態が前記しきい値レベルを下回るという決定に応答して、１つまたは複数の制御情報ビットを省略することによって、減少された数の制御情報ビットを前記ダウンリンク制御チャネル送信にエンコードするように設定され、省略された前記１つまたは複数の制御情報ビットが既定の制御情報ビットである、請求項１９に記載のネットワークノード。
【請求項２２】
前記ネットワークノードが、省略された前記１つまたは複数の制御情報ビットの合計数に応じてレートマッチングを適用することによって、前記減少された数の制御情報ビットを前記ダウンリンク制御チャネル送信にエンコードするように設定される、請求項２１に記載のネットワークノード。
【請求項２３】
前記ネットワークノードが、前記ユーザ機器からチャネル品質インジケータ（ＣＱＩ）を受信すること、および前記チャネル品質インジケータ（ＣＱＩ）を使用してチャネル状態が前記しきい値レベルを下回ると決定することによって、チャネル状態が前記しきい値レベルを下回ると決定するように設定される、請求項１９から２２のいずれか一項に記載のネットワークノード。
【請求項２４】
前記ダウンリンク制御チャネル送信が、高速シグナリング制御チャネル（ＨＳ−ＳＣＣＨ）である、請求項１９または２３に記載のネットワークノード。
【請求項２５】
前記１つまたは複数の既定の制御情報ビットが、１つまたは複数のチャネライゼーションコードセット情報および変調方式情報ビットを含む、請求項２４に記載のネットワークノード。
【請求項２６】
ネットワークノードからダウンリンク制御チャネル送信を受信することと、
既定の制御情報ビットの知識に基づいて前記ダウンリンク制御チャネル送信をデコードすることと
を行うように設定される、ユーザ機器であって、
前記ダウンリンク制御チャネル送信が、いくつかの既定の制御情報ビットを搬送するか、または、前記ダウンリンク制御チャネル送信が減少された数の制御情報ビットを搬送するように、１つもしくは複数の既定の制御情報ビットを省略する、ユーザ機器。
【請求項２７】
前記ダウンリンク制御チャネル送信が、１つまたは複数の既定の制御情報ビットを搬送する、請求項２６に記載のユーザ機器。
【請求項２８】
前記ユーザ機器が、前記ダウンリンク制御チャネル送信の一部分を決定することにおける使用のために符号語のセットの既定のサブセットを使用して、前記ダウンリンク制御チャネル送信の前記一部分をデコードするように設定される、請求項２７に記載のユーザ機器。
【請求項２９】
前記ダウンリンク制御チャネル送信が、減少された数の制御情報ビットを搬送するように、前記ダウンリンク制御チャネル送信が、１つまたは複数の既定の制御情報ビットを省略する、請求項２６に記載のユーザ機器。
【請求項３０】
前記ユーザ機器が、省略された前記１つまたは複数の制御情報ビットの合計数に応じてレートマッチングを適用することによって、前記ダウンリンク制御チャネル送信をデコードするように設定される、請求項２９に記載のユーザ機器。
【請求項３１】
前記ユーザ機器が、チャネル品質インジケータ（ＣＱＩ）を前記ネットワークノードに送るようにさらに設定される、請求項２６から３０のいずれか一項に記載のユーザ機器。
【請求項３２】
前記ユーザ機器が、チャネル状態がしきい値レベルを下回ると決定することと、チャネル状態がしきい値レベルを下回るという決定に応答して、前記既定の制御情報ビットの知識に基づいて前記ダウンリンク制御チャネル送信をデコードすることとを行うように設定される、請求項２６から３１のいずれか一項に記載のユーザ機器。
【請求項３３】
前記ユーザ機器が、前記ユーザ機器によってチャネル品質インジケータ（ＣＱＩ）内でネットワークノードに報告される情報を使用することによって、チャネル状態がしきい値レベルを下回ると決定するように設定される、請求項３２に記載のユーザ機器。
【請求項３４】
前記ダウンリンク制御チャネル送信が、高速シグナリング制御チャネル（ＨＳ−ＳＣＣＨ）である、請求項２６から３３のいずれか一項に記載のユーザ機器。
【請求項３５】
前記ダウンリンク制御チャネルの前記一部分が、高速シグナリング制御チャネル（ＨＳ−ＳＣＣＨ）のパート１である、請求項２８に記載のユーザ機器。
【発明の詳細な説明】
【技術分野】
【０００１】
本発明は、無線通信ネットワークにおける、高速シグナリング制御チャネル（ＨＳ−ＳＣＣＨ）送信などの、ただし、これに限らない、ダウンリンク制御チャネル送信をエンコードおよびデコードするための方法および装置に関する。
【背景技術】
【０００２】
ＨＳ−ＳＣＣＨは、ＨＳ−ＤＳＣＨ（高速ダウンリンク共有チャネル）送信に関する制御情報を搬送するために使用される固定レート（６０ｋｂｐｓ、ＳＦ＝１２８）ダウンリンク物理チャネルである。ＨＳ−ＤＳＣＨは、ダウンリンクにおいて送信されるべきデータを伝搬する。ＨＳ−ＳＣＣＨは、３ＧＰＰ  ＴＳ  ２．２１１“Ｐｈｙｓｉｃａｌ  ｃｈａｎｎｅｌｓ  ａｎｄ  ｍａｐｐｉｎｇ  ｏｆ  ｔｒａｎｓｐｏｒｔ  ｃｈａｎｎｅｌｓ  ｏｎｔｏ  ｐｈｙｓｉｃａｌ  ｃｈａｎｎｅｌｓ（ＦＤＤ）”バージョン１３．０．０、リリース１３に定められている。
【０００３】
ＨＳ−ＳＣＣＨタイプ１は、以下のフィールドを含む。
ＨＳ−ＳＣＣＨタイプ１の構造（制御情報フィールド）：
＞  チャネライゼーションコードセット情報（７ビット）：ｘｃｃｓ，１，ｘｃｃｓ，２，…，ｘｃｃｓ，７
＞  変調方式情報（１ビット）：ｘｍｓ，１
＞  トランスポートブロックサイズ情報（６ビット）：ｘｔｂｓ，１，ｘｔｂｓ，２，…，ｘｔｂｓ，６
＞  ハイブリッドＡＲＱプロセス情報（３ビット）：ｘｈａｐ，１，ｘｈａｐ，２，ｘｈａｐ，３
＞  冗長およびコンスタレーションバージョン（３ビット）：ｘｒｖ，１，ｘｒｖ，２，ｘｒｖ，３
＞  新データインジケータ（１ビット）：ｘｎｄ，１
＞  ＵＥアイデンティティ（１６ビット）：ｘｕｅ，１，ｘｕｅ，２，…，ｘｕｅ，１６
【０００４】
図１は、３ＧＰＰ  ＴＳ  ２５．２１２“Ｍｕｌｔｉｐｌｅｘｉｎｇ  ａｎｄ  ｃｈａｎｎｅｌ  ｃｏｄｉｎｇ（ＦＤＤ）”バージョン１３．０．０、リリース１３に定められているようなＨＳ−ＳＣＣＨタイプ１送信のためのレイヤ１（Ｌ１）処理チェーンを例証する。
【０００５】
ＨＳ−ＳＣＣＨ制御情報は、３つのスロット：スロット０（ＨＳ−ＳＣＣＨパート１として知られる）、ならびにスロット１および２（ＨＳ−ＳＣＣＨパート２として知られる）からなる１つのサブフレーム内で送信される。「チャネライゼーションコードセット情報」（ビットｘｃｃｓ）および「変調方式情報」（ビットｘｍｓ）の両方は、スロット０内（すなわち、ＨＳ−ＳＣＣＨパート１内）で送信されるが、「トランスポートブロックサイズ情報」（ビットｘｔｂｓ）、「ハイブリッドＡＲＱプロセス情報」（ビットｘｈａｐ）、「冗長およびコンスタレーションバージョン」（ビットｘｒｖ）、および「新データインジケータ」（ビットｘｎｄ）は、スロット１およびスロット２により（すなわち、ＨＳ−ＳＣＣＨパート２内で）伝搬される。「ＵＥアイデンティティ」（ビットｘｕｅ）は、図１に示されるように、ＨＳ−ＳＣＣＨパート１およびパート２の両方においてマスクされる。
【０００６】
図１の左側の処理チェーン内の「ＵＥ固有マスキング」４０（チャネライゼーションコードセット情報および変調方式情報をＨＳ−ＳＣＣＨパート１にエンコードする）へのブランチ入力は、標準では明示的に示されない。このブランチは、ＨＳ−ＳＣＣＨパート１への「ＵＥアイデンティティ」のエンコーディングプロセスを示す。このプロセスは、「符号化レート１／２」４２のチャネル符号化、および図１の中央に位置する処理チェーン内の「レートマッチング１」３０（標準で描写されるように左側の処理チェーン）に対応するレートマッチング４４を使用する。一方で、「ＵＥアイデンティティ」は、図１に示されるＸ１およびＸ２から計算されるＣＲＣを用いてＨＳ−ＳＣＣＨのパート２へとマスクされる。次いで、ＣＲＣは、図１の右側の処理チェーンに示されるようにＨＳ−ＳＣＣＨパート２  ６０内のトランスポートブロックサイズ情報、ハイブリッドＡＲＱプロセス情報、冗長およびコンスタレーションバージョン、ならびに新データインジケータに添付される。
【０００７】
それぞれの処理チェーンの各ステージにおけるビットシーケンスの長さは、図１に示されている。左側の処理チェーン多重化に関しては、「チャネライゼーションコードセット情報」（ビットｘｃｃｓ）および「変調方式情報」（ビットｘｍｓ）」の「ｍｕｘ」１０は、Ｘ１  ８ビットをもたらす。１／３の「チャネル符号化１」（ゼロテール）２０が次いで適用され、それがＺ１  ４８ビットをもたらす。次いで、「レートマッチング１」３０が、ビットの数をＲ１  ４０ビットに減少させ、それは、ＵＥアイデンティティ（４０ビット）のエンコードされたバージョンでマスクされた後に、ＨＳ−ＳＣＣＨサブフレーム（「物理チャネルマッピング」ステップ９０の次に示される）のスロット０に組み込まれる。同様に、右側の処理チェーンにおいて、ビット「トランスポートブロックサイズ情報」（ビットｘｔｂｓ）、「ハイブリッドＡＲＱプロセス情報」（ビットｘｈａｐ）、「冗長およびコンスタレーションバージョン」（ビットｘｒｖ）、ならびに「新データインジケータ」（ビットｘｎｄ）は、５０で多重化されて、Ｘ２１３ビットをもたらす。「ＵＥ固有ＣＲＣ添付」後には、Ｙ２９ビットが存在する。「チャネル符号化２」７０が次いで適用され、それがＺ２  １１１ビットをもたらす。次いで、「レートマッチング２」８０が、ビットの数をＲ２  ８０ビットに減少させ、それが、ＨＳ−ＳＣＣＨサブフレーム（ここでも「物理チャネルマッピング」ステップ９０の次に示される）のスロット１およびスロット２に組み込まれる。
【０００８】
ＨＳ−ＳＣＣＨ送信を受信するユーザ機器（ＵＥ）において、ＨＳ−ＳＣＣＨは、２つのステージにおいて検出／デコードされる。ＨＳ−ＳＣＣＨパート１（スロット０）が、まず検出／デコードされる。この検出／デコーディングは、ＵＥがＨＳ−ＳＣＣＨパート２（スロット１＆２）をデコードすることに進むことができる前に、「パスした」と見なされる必要がある。したがって、ＨＳ−ＳＣＣＨスロット０の検出／デコーディングは、ＨＳ−ＳＣＣＨの性能の重要な側面である。
【０００９】
性能に関する問題は、特に劣悪な無線環境において、ダウンリンク（ＤＬ）電力の点でＨＳ−ＳＣＣＨが高価なことであることを本出願者は理解している。
【発明の概要】
【００１０】
本発明の一態様によると、ダウンリンク制御チャネル送信をエンコードするためのネットワークノードにおける方法が提供される。本方法は、チャネル状態がしきい値レベルを下回ると決定することと、チャネル状態がしきい値レベルを下回るという決定に応答して、１つまたは複数の既定の制御情報ビットをダウンリンク制御チャネル送信にエンコードすること、および、１つまたは複数の制御情報ビットを省略することによって、減少された数の制御情報ビットをダウンリンク制御チャネル送信にエンコードすることであって、省略された１つまたは複数の制御情報ビットが既定の制御情報ビットである、エンコードすることのうちの少なくとも１つを実行することと、を含む。本方法は、ダウンリンク制御チャネル送信をユーザ機器に送信することをさらに含む。
【００１１】
本発明のさらなる態様によると、ダウンリンク制御チャネル送信をデコードするためのユーザ機器における方法が提供される。本方法は、ネットワークノードからダウンリンク制御チャネル送信を受信することであって、ダウンリンク制御チャネル送信が、減少された数の制御情報ビットを搬送するように、ダウンリンク制御チャネル送信が、１つもしくは複数の既定の制御情報ビットを搬送するか、または１つもしくは複数の既定の制御情報ビットを省略する、受信することを含む。本方法は、既定の制御情報ビットの知識に基づいてダウンリンク制御チャネル送信をデコードすることをさらに含む。
【００１２】
本発明は、特に、劣悪な無線環境において、ＵＥにおけるダウンリンク制御チャネルのデコーディング性能の改善を可能にするという利点を有する。例えば、デコーディング性能は、ＢＬＥＲ（ブロック誤り率）、「ミス検出」、および／または「誤検出」の点において改善され得る。これは、制御情報ビットのうちの１つまたは複数を固定すること、および、これら１つまたは複数の固定された制御チャネル情報ビットまたは既定の制御チャネル情報ビットの知識に基づいてダウンリンク制御チャネル送信をデコードするＵＥによって、デコーディング複雑性の低減がＵＥにおいて達成され得るためである。したがって、本発明は、有利には、特に、劣悪な無線環境において、ダウンリンク（ＤＬ）における省電力を可能にする。例えば、本発明の実施形態によると、低減されたＥｂ／Ｎｏ（ビットエネルギー対雑音スペクトル密度）比を有するダウンリンク制御チャネル送信は、より高いＥｂ／Ｎｏ比を有するレガシーダウンリンク制御チャネル送信と同じ性能を達成し得る。したがって、ネットワークカバレッジもまた、有利には、ＤＬ電力を増大させることなく維持または改善され得る。
【００１３】
第１の実施形態において、ネットワークノードにおける方法は、１つまたは複数の既定の制御情報ビットをダウンリンク制御チャネル送信にエンコードすることを含み得る。この実施形態は、本方法がレガシーＵＥとの使用に後方互換性を有し得るという利点を有する。すなわち、レガシーＵＥは、１つまたは複数の既定の制御情報ビットを搬送するダウンリンク制御チャネル（「低コスト」ダウンリンク制御チャネルと称され得る）を依然としてデコードすることが可能であり得る。しかしながら、レガシーＵＥは、１つまたは複数の既定の制御情報ビットの知識を活用するように設定されないため、いかなるデコーディング性能改善からも恩恵を受けない。
【００１４】
第２の実施形態において、ネットワークノードにおける方法は、１つまたは複数の制御情報ビットを省略することによって、減少された数の制御情報ビットをダウンリンク制御チャネル送信にエンコードすることであって、省略された１つまたは複数の制御情報ビットが既定の制御情報ビットである、エンコードすることを含み得る。この実施形態において、減少された数の制御情報ビットをダウンリンク制御チャネル送信にエンコードすることは、省略された１つまたは複数の制御情報ビットの合計数に応じて、例えばパンクチャリングパターンを使用して、レートマッチングを適用することを含み得る。
【００１５】
第１の実施形態において、ダウンリンク制御チャネル送信が１つまたは複数の既定の制御情報ビットを搬送するとき、ＵＥにおける方法は、ダウンリンク制御チャネル送信の一部分を決定することにおける使用のために符号語のセットの既定のサブセットを使用して、ダウンリンク制御チャネル送信の一部分をデコードすることによって、既定の制御情報ビットの知識に基づいてダウンリンク制御チャネル送信をデコードすることを含み得る。このやり方では、制御情報ビットの受信されたシーケンスに対してＵＥによって試験される必要のある可能な仮説（すなわち、符号語）の数は減少される。したがって、デコーディング複雑性が低減され得る。
【００１６】
第２の実施形態において、ダウンリンク制御チャネル送信が、減少された数の制御情報ビットを搬送するように、ダウンリンク制御チャネル送信が１つまたは複数の既定の制御情報ビットを省略するとき、ＵＥにおけるデコーディングは、１つまたは複数の省略された制御情報ビットの合計数に応じて、例えばパンクチャリングパターンを使用して、レートマッチングを適用することを含み得る。
【００１７】
いくつかの実施形態において、チャネル状態がしきい値レベルを下回るとネットワークノードにおいて決定することは、ユーザ機器からチャネル品質インジケータ（ＣＱＩ）を受信すること、およびチャネル品質インジケータ（ＣＱＩ）を使用してチャネル状態がしきい値レベルを下回ると決定することを含み得る。
【００１８】
いくつかの実施形態において、ＵＥにおける方法は、チャネル品質インジケータ（ＣＱＩ）をネットワークノードに送ることを含み得る。
【００１９】
好ましい実施形態において、ＵＥにおける方法は、チャネル状態がしきい値レベルを下回ると決定することと、チャネル状態がしきい値レベルを下回るという決定に応答して、既定の制御情報ビットの知識に基づいてダウンリンク制御チャネル送信をデコードすることとをさらに含み得る。これは、チャネル状態がしきい値レベルを下回り、そのためＵＥが「低コスト」ダウンリンク制御チャネル送信を予期している場合には、ＵＥが、例えば符号語の既定のサブセットのみを使用して、ダウンリンク制御チャネル送信をデコードすることから、デコーディング複雑性をさらに低減し得る。しかしながら、他の実施形態においては、ＵＥにおいてそのようなトリガが存在しなくてもよく、ＵＥは、例えば、既定の制御情報ビットの知識を使用して、受信された各ダウンリンク制御チャネル送信をデコードすることを単に試み、これに失敗した場合にのみ、受信されたダウンリンク制御チャネル送信を通常の様式でデコードすることを進め得る。または、逆に、ＵＥが、正常なデコーディングが失敗した場合に、既定の制御情報ビットの知識を使用して受信されたダウンリンク制御チャネル送信をデコードすることを単に試み得る。
【００２０】
いくつかの実施形態において、チャネル状態がしきい値レベルを下回るとＵＥにおいて決定することは、チャネル品質インジケータ（ＣＱＩ）内でネットワークノードに報告される情報を使用して、チャネル状態がしきい値レベルを下回ると決定することを含み得る。これは、ネットワークノードとＵＥとの間の調整を促進し得る。
【００２１】
ダウンリンク制御チャネル送信は、高速シグナリング制御チャネル（ＨＳ−ＳＣＣＨ）送信であり得る。しかしながら、本発明は、他の好適なダウンリンク制御チャネル送信に適用され得るということが理解されるべきである。
【００２２】
特に、ダウンリンク制御チャネル送信がＨＳ−ＳＣＣＨであるとき、１つまたは複数の既定の制御情報ビットは、１つまたは複数のチャネライゼーションコードセット情報および変調方式情報ビットを含み得る。したがって、１つまたは複数の既定の制御情報ビットは、ＨＳ−ＳＣＣＨのパート１に関連し得る。この場合、上で言及されるダウンリンク制御チャネルの「一部分」は、高速シグナリング制御チャネル（ＨＳ−ＳＣＣＨ）のパート１であり得る。これは、ＨＳ−ＳＣＣＨのパート１のデコーディング性能が改善され得るという利点を有し、それは、上記に説明されるように、パート１が首尾よくデコードされると見なされる場合にのみＨＳ−ＳＣＣＨのパート２がデコードされるため、重要な改善である。
【００２３】
しかしながら、本発明の他の実施形態において、１つまたは複数の既定の制御情報ビットは、代替的に、または加えて、ＨＳ−ＳＣＣＨのパート２において搬送され得る。すなわち、１つまたは複数の既定の制御情報ビットは、１つまたは複数のトランスポートブロックサイズ情報、ハイブリッドＡＲＱプロセス情報、冗長およびコンスタレーションバージョン、ならびに新データインジケータビットを含み得る。１つまたは複数の既定の制御情報ビットがＨＳ−ＳＣＣＨのパート２の部分である場合、減少された数の制御情報ビットが、１つまたは複数の既定の制御情報ビットを省略することによってダウンリンク制御チャネル送信にエンコードされるという第２の実施形態が、特に有利であり得る。これは、ＨＳ−ＳＣＣＨパート１と比較してＨＳ−ＳＣＣＨパート２において送信されるより多くの数のビットが理由で、以下により詳細に説明されるように、ビットの数を減少させることが、ＨＳ−ＳＣＣＨパート２についてのデコーディング複雑性の低減をより良好に促進し得るためである。
【００２４】
上記に説明される方法のいずれかを実行するように設定される（すなわち、動作する）ネットワークノードがさらに提供される。
【００２５】
上記に説明される方法のいずれかを実行するように設定される（すなわち、動作する）ユーザ機器がさらに提供される。
【００２６】
プロセッサ上で実行されるとき、上記に説明される方法のいずれかを実行し得るコンピュータ可読命令を含むコンピュータプログラムがさらに提供される。コンピュータプログラムを含むコンピュータ可読媒体がさらに提供される。
【００２７】
ここで、本発明の実施形態は、添付の図面を参照して、あくまでも例として説明される。
【図面の簡単な説明】
【００２８】
【図１】ＨＳ−ＳＣＣＨタイプ１送信のためのレイヤ１（Ｌ１）処理チェーンを例証する図である。
【図２】本発明の一実施形態によるネットワークノードにおける方法を例証する図である。
【図３】本発明の一実施形態によるユーザ機器における方法を例証する図である。
【図４】本発明の好ましい実施形態による方法を例証する図である。
【図５ａ】あくまでも例として、レガシーチャネライゼーションコードセットを例証する図である。
【図５ｂ】あくまでも例として、減少されたチャネライゼーションコードセット（１つのコードのみ）を例証する図である。
【図５ｃ】あくまでも例として、減少されたチャネライゼーションコードセット（２つのコードのみ）を例証する図である。
【図６】ＨＳ−ＳＣＣＨ送信のデコーディングパート１における使用のための符号語のセットの既定のサブセット例を例証する図である。
【図７】「低コスト」ＨＳ−ＳＣＣＨタイプ１（スロット０）例に対するレガシーＨＳ−ＳＣＣＨタイプ１についてのミス検出性能を示すグラフである。
【図８】「低コスト」ＨＳ−ＳＣＣＨタイプ１（スロット０）例に対するレガシーＨＳ−ＳＣＣＨタイプ１についての誤検出性能を示すグラフである。
【図９】「低コスト」ＨＳ−ＳＣＣＨタイプ１（スロット０）例に対するレガシーＨＳ−ＳＣＣＨタイプ１についてのブロック誤り率（ＢＬＥＲ）性能を示すグラフである。
【図１０】本発明の一実施形態によるネットワークノードを例証する図である。
【図１１】本発明の一実施形態によるユーザ機器を例証する図である。
【図１２】本発明のさらなる実施形態によるネットワークノードを例証する図である。
【図１３】本発明のさらなる実施形態によるユーザ機器を例証する図である。
【発明を実施するための形態】
【００２９】
本発明の実施形態は、無線通信ネットワークにおける、高速シグナリング制御チャネル（ＨＳ−ＳＣＣＨ）送信などの、ただし、これに限らない、ダウンリンク制御チャネル送信をエンコードおよびデコードするための方法および装置を提供する。無線通信ネットワークは、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）モバイルセルラシステムであり得る。しかしながら、本発明の実施形態は、あくまでも例として他の２Ｇ／３Ｇネットワーク、ＬＴＥ（Ｌｏｎｇ−Ｔｅｒｍ  Ｅｖｏｌｕｔｉｏｎ）、ＬＴＥ  Ａｄｖａｎｃｅｄ、または５Ｇなどの他のタイプの無線通信ネットワークにおいて使用されてもよい。上に示されるように、ダウンリンク制御チャネル送信は、ＨＳ−ＳＣＣＨ送信であり得る。しかしながら、ダウンリンク制御チャネル送信は、代替的に、任意の他のタイプのダウンリンク制御チャネル送信であってもよい。
【００３０】
図２は、本発明の実施形態によるダウンリンク制御チャネル送信をエンコードするためのネットワークノードにおける方法を例証する。ネットワークノードは、無線ネットワークノードとも称され得、例えば、基地局などの無線アクセスネットワークノード、例えばノードＢ、または基地局コントローラと連携して動作する基地局であってもよい。
【００３１】
本方法は、２００においてチャネル状態がしきい値レベルを下回ると決定することを含む。これは、チャネル状態をモニタリングすることによって、例えば、チャネル状態の測定値を示すパラメータをモニタし、モニタされたチャネル状態をしきい値と比較することによって行われ得る。しきい値は、予め決定され得る。代替的に、例えば、ネットワークノードは、例えば別のネットワークノードから、チャネル状態がしきい値レベルより低い、または低いことが予期されるという表れを受信する場合があり、そこからネットワークノードは、チャネル状態がしきい値レベルを下回ると「決定する」ことができる。
【００３２】
本方法は、チャネル状態がしきい値レベルを下回るという決定に応答して、２０５において、１つまたは複数の既定の制御情報ビットをダウンリンク制御チャネル送信にエンコードすること、または２１０において、１つまたは複数の制御情報ビットを省略することによって、減少された数の制御情報ビットをダウンリンク制御チャネル送信にエンコードすることである、ことのいずれかを行うことをさらに含み、１つまたは複数の省略された制御情報ビットが既定の制御情報ビットである。１つまたは複数の既定の制御情報ビットをダウンリンク制御チャネル送信にエンコードすることが理由で、ダウンリンク制御チャネル送信によって伝搬され得る制御情報は制限されるということに留意されたい。しかしながら、本出願者は、これが、特に、動作の特定のモードがいかなる場合においても実用的でない場合があるという劣悪な無線環境においては、容認可能なトレードオフ／制限であり得るということを理解している。例えば、以下に説明されるように、劣悪な無線環境においては、ダウンリンク制御チャネル（例えば、ＨＳ−ＳＣＣＨ）と関連付けられたダウンリンクデータチャネル（例えば、ＨＳ−ＰＤＳＣＨ）において使用され得る「コードの数」および「変調方式」に対する制限が存在し得る。
【００３３】
減少された数の制御情報ビットがダウンリンク制御チャネル送信にエンコードされる場合、エンコードすること２１０は、例えば、１つまたは複数の省略された制御情報ビットの合計数に応じて、例えばパンクチャリングパターンを使用して、レートマッチングを適用すること２１２を含み得る。したがって、このやり方では、より少ない制御情報ビットがダウンリンク制御チャネル送信にエンコードされ、こうしてダウンリンク制御チャネル送信によって搬送されるが、ダウンリンク制御チャネル送信において実際に送信されるビットの数は、省略された制御情報ビットがダウンリンク制御チャネル送信に含まれる場合と同じのままであり得る。したがって、ダウンリンク制御チャネル送信の物理レイヤマッピング／送信に対する修正は必要とされない場合がある。
【００３４】
本方法は、２２０において、ダウンリンク制御チャネル送信をユーザ機器（ＵＥ）に送信することをさらに含む。
【００３５】
図３は、本発明の実施形態によるダウンリンク制御チャネル送信をデコードするためのユーザ機器における方法を例証する。ユーザ機器は、無線信号／エアインターフェースを介してネットワークノードまたは別のＵＥと通信することができる任意のタイプの無線デバイスであり得る。ユーザ機器は、例えば、無線通信デバイス、標的デバイス、Ｄ２Ｄ（デバイスツーデバイス）ＵＥ、マシンツーマシンタイプの通信ができるＵＥ、ＵＥを備えたセンサ、パーソナルデジタルアシスタント（ＰＤＡ）、タブレット、モバイル端末、スマートフォン、ラップトップ型埋め込み機器（ＬＥＥ）、ラップトップ型備え付け機器（ＬＥ）、ＵＳＢドングル、顧客宅内機器（ＣＰＥ）であり得るが、これらに限らない。
【００３６】
ユーザ機器における方法は、３１０において、ネットワークノードからダウンリンク制御チャネル送信を受信することを含み、ダウンリンク制御チャネル送信が、減少された数の制御情報ビットを搬送するように、ダウンリンク制御チャネル送信が、１つもしくは複数の既定の制御情報ビットを搬送するか、または１つもしくは複数の既定の制御情報ビットを省略する。本方法は、３２０において、１つまたは複数の既定の制御情報ビットの知識に基づいて、ダウンリンク制御チャネル送信をデコードすること（例えば、ダウンリンク制御チャネル送信にエンコードされた／ダウンリンク制御チャネル送信を介して送信された、制御情報ビットのシーケンスを決定すること）をさらに含む。例えば、デコーディングは、ダウンリンク制御チャネル送信における１つまたは複数の制御情報ビットが予め決定される（または固定される）という知識、およびそれらの値（すなわち、「０」または「１」）に基づき得る。
【００３７】
１つまたは複数の既定の制御情報ビットの知識を使用することによって、ユーザ機器におけるデコーディング複雑性が低減され得る。
【００３８】
当業者によって理解されるように、異なるタイプのデコーダがユーザ機器において使用され得る。例えば、ユーザ機器は、ダウンリンク制御チャネル送信の少なくとも一部分をデコードするために「シーケンシャル最尤相関器」を使用し得る。そのようなデコーダは、受信された制御情報ビットをすべての可能な符号語と比較し、例えば、制御情報ビットによって表される符号語として既定のしきい値を超えるのに十分に高い相関を提供する符号語を選択し得る。しかしながら、ユーザ機器は、代替的に、別のタイプのデコーダを使用し得る。例えば、ユーザ機器は、当業者によって理解されるように代わりにトレリス線図にわたって異なる可能なパスを同時にトレースし、最良のメトリックを有するパスを結果として選択する「ビダビデコーダ」を使用し得る。他のタイプのデコーダが可能であり、当業者が考え付くものである。
【００３９】
１つの実施形態において、ダウンリンク制御チャネル送信は、いくつかの既定の制御情報ビットを搬送する（すなわち、ダウンリンク制御チャネル送信上でユーザ機器によって受信される制御情報ビットの合計数は、ダウンリンク制御チャネル送信がレガシー送信である場合と同じであり得る）。この場合、ユーザ機器における方法は、３２２において、ダウンリンク制御チャネル送信の一部分を決定することにおける使用のために符号語のセットの既定のサブセットを使用して、ダウンリンク制御チャネル送信の一部分をデコードすることを含み得る。すなわち、符号語のフルセットから得られた符号語の既定のサブセットのみが、ダウンリンク制御チャネルの一部分を介して送信された情報ビットのシーケンスを決定するときに使用され得る。符号語のサブセットは、制御情報ビットの特定のものが固定されることを考慮して、それらの可能な並べ替えのみを含むことを必要とする。したがって、いくつかの実施形態において、これは、受信された制御情報ビットに対してはるかに少ない符号語を試験する必要のあるユーザ機器、故に、デコーディング複雑性における対応する低減を結果としてもたらし得る。しかしながら、ダウンリンク制御チャネル送信が１つまたは複数の既定の制御情報ビットを搬送するという知識を活用し、そのためデコーディング複雑性を低減／デコーディング性能を改善する、ダウンリンク制御チャネル送信をデコードする他のやり方は、当業者が考え付くものであり得る。
【００４０】
上に述べられるダウンリンク制御チャネル送信の「一部分」は、ダウンリンク制御チャネル送信の一部のみを含み得るということに留意されたい。例えば、以下に説明されるように、この一部分は、ＨＳ−ＳＣＣＨのパート１のみを含み得る。しかしながら、いくつかの実施形態において、ダウンリンク制御チャネル送信の「一部分」は、ダウンリンク制御チャネル送信全体を含んでもよい。
【００４１】
符号語のセットの既定のサブセットは、例えば、ユーザ機器におけるメモリに格納され得る。したがって、符号語のセットの既定のサブセットを上に示されるように使用することは、符号語のセットのサブセットをユーザ機器においてメモリから取得することを含み得る。
【００４２】
上に示されるように、ダウンリンク制御チャネル送信は、ＨＳ−ＳＣＣＨであり得る。
【００４３】
図５および図６は、ＨＳ−ＳＣＣＨに関して本発明の実装形態例を例証する。この例では、１つまたは複数の既定の制御情報ビットは、１つまたは複数のチャネライゼーションコードセット情報および変調方式情報ビットを含む。したがって、１つまたは複数の既定の制御情報ビットは、ＨＳ−ＳＣＣＨのパート１内の「チャネライゼーションコードセット情報」フィールドおよび／または「変調方式情報」フィールド内にある（すなわち、ＨＳ−ＳＣＣＨタイプ１のスロット０内で送信される）。
【００４４】
図５ａ、図５ｂ、および図５ｃは、あくまでも例として、「チャネライゼーションコードセット情報」フィールドに含まれ得るコードを示すチャネライゼーションコードセット、減少されたチャネライゼーションコードセット（１つのコードのみ）、および減少されたチャネライゼーションコードセット（２つのコードのみ）をそれぞれ例証する。
【００４５】
上に述べられるように、チャネライゼーションコードセット（ＣＣＳ）情報は、７ビットからなる。より具体的には、ＣＣＳ情報は、２つの部分に分割される。第１の部分は、Ｘｃｃｓ１からＸｃｃｓ３までの３ビットからなる「コードグループインジケータ」を指す。第２の部分は、Ｘｃｃｓ４からＸｃｃｓ７までの４ビットからなる「コードオフセットインジケータ」を指す。ＣＣＳビットにマップされる２進シーケンスは、ダウンリンク送信によって使用されるコードの数、およびチャネライゼーションコードツリーにおけるオフセット（すなわち、コードの位置）をそれぞれ指す変数「Ｐ」および「Ｏ」に依存する。ＣＣＳビットと変数「Ｐ」および「Ｏ」との間の関係の例は、図５ａに示される。
【００４６】
図５ａに示される例において、ネットワークノード、例えばノードＢは、送信されるべきダウンリンク送信のコードの数が５である（Ｐ＝５）一方、チャネライゼーションコードツリーにおけるオフセットが７である（Ｏ＝７）ことを決定した。「Ｐ」および「Ｏ」の値を知ると、ＣＣＳビットが以下のように決定される：
＞  Ｘｃｃｓ１，Ｘｃｃｓ２，Ｘｃｃｓ３＝ｍｉｎ（Ｐ−１，１５−Ｐ）＝１００
＞  Ｘｃｃｓ４，Ｘｃｃｓ５，Ｘｃｃｓ６，Ｘｃｃｓ７＝｜Ｏ−１−（Ｆｌｏｏｒ（Ｐ／８））（１５）｜＝０１１０
したがって、ＣＣＳビットＸｃｃｓ１…Ｘｃｃｓ７＝１０００１１０である。
【００４７】
ＣＣＳビットは、図５ａに描写される「チャネライゼーションコードセットマトリックス」内の「Ｐ」および「Ｏ」の値をＵＥが見つけることを可能にする「座標」を含む。
【００４８】
一方で、変調方式（ＭＳ）ビットは、ＨＳ−ＰＤＳＣＨに適用される変調方式がＱＰＳＫであるか、または１６−ＱＡＭであるかをＵＥに知らせるために使用される。解釈は以下の通りである：
＞  ｘｍｓ，１＝０→ＱＰＳＫ
＞  ｘｍｓ，１＝１→１６−ＱＡＭ
【００４９】
この例では、いくつかの既定の制御情報ビットを含む、いわゆる「低コストＨＳ−ＳＣＣＨタイプ１」または簡略化されたＨＳ−ＳＣＣＨは、１つのコードと共にＱＰＳＫを最大限に活用することができるＵＥによって利用されることが意図される。
【００５０】
その場合、「コードグループインジケータ」（３ビット）はもはや必要とされず、「変調方式」も必要とされない。したがって、ＨＳ−ＳＣＣＨパート１は、図５ｂに描写されるように、４ビットからなる「コードオフセットインジケータ」フィールドのみを示すように制限され得る。
【００５１】
したがって、ＨＳ−ＳＣＣＨタイプ１のこの簡略化されたバージョンでは、「Ｐ」は、Ｘｃｃｓ４，Ｘｃｃｓ５，Ｘｃｃｓ６，Ｘｃｃｓ７＝｜Ｏ−１−（Ｆｌｏｏｒ（Ｐ／８））（１５）｜を保って、１に固定される。
【００５２】
組み合わせＸｃｃｓ４，Ｘｃｃｓ５，Ｘｃｃｓ６，Ｘｃｃｓ７＝１１１１は未使用であり、他の用途／目的（例えば、再送信目的、または特定の行動を実行するようにＵＥに命令すること）に利用可能なままであるということに留意されたい。
【００５３】
一方で、１つのコードのみを使用することが制限的すぎると見なされる場合には、２つのコードが検討され得る。その場合、「コードグループインジケータ」は、図５ｃに描写されるように、コードオフセットインジケータの４ビットに加えて、１ビットからなる。ＨＳ−ＳＣＣＨタイプ１のこの簡略化されたバージョンでは、「Ｐ」は、Ｘｃｃｓ４，Ｘｃｃｓ５，Ｘｃｃｓ６Ｘｃｃｓ７＝｜Ｏ−１−（Ｆｌｏｏｒ（Ｐ／８））（１５）｜を保って、１または２の値をとり得る。「Ｐ」＝１であるとき、組み合わせＸｃｃｓ４，Ｘｃｃｓ５，Ｘｃｃｓ６，Ｘｃｃｓ７＝１１１１は未使用であり、他の用途／目的（例えば、再送信目的、または特定の行動を実行するようにＵＥに命令すること）に利用可能なままである。「Ｐ」＝２であるとき、組み合わせＸｃｃｓ４，Ｘｃｃｓ５，Ｘｃｃｓ６，Ｘｃｃｓ７＝１１１１および１１１０は未使用であり、他の用途／目的（例えば、再送信目的、または特定の行動を実行するようにＵＥに命令すること）に利用可能なままである。
【００５４】
したがって、例えば、「低コストＨＳ−ＳＣＣＨタイプ１」が１つのチャネライゼーションコードのみ、およびＱＰＳＫ変調を使用する場合、スロット０（ＨＳ−ＳＣＣＨパート１）上で搬送されるすべての制御情報ビットのうちの４ビットのみが決定論的ではない。これらは、チャネライゼーションコードツリーにおけるオフセット（すなわち、チャネライゼーションコードツリー内のコード位置）を示すために使用されるビットである。
【００５５】
「低コストＨＳ−ＳＣＣＨタイプ１」のスロット０上で搬送される制御情報ビットのマッピングは、したがって以下の通りであり得る：
＞  ｘｃｃｓ，１，ｘｃｃｓ，２，ｘｃｃｓ，３，＝０００：レガシー形式に従い、このビットシーケンスは、１つのコードのみが使用されることを示す。
＞  ｘｃｃｓ，４，ｘｃｃｓ，５，ｘｃｃｓ，６，ｘｃｃｓ，７，＝００００−＞１１１０：レガシー形式に従い、１つのコードが共有チャネル用に予約されるため、オフセットの範囲は、０から１４にわたる（オフセット１から１５を意味する）。言い換えると、１６個のコードのうちの１５個のみが使用可能なコード位置である。
＞  ｘｍｓ，１，＝０：レガシー形式に従い、これはＱＰＳＫ変調が使用されることを意味する。
【００５６】
上記は、ＣＣＳ＋ＭＳ  ８−ビットシーケンスでは、ビットの半分が決定論的にされる、すなわち、既定のものであることを意味する。
＞  ｘｃｃｓ，１，ｘｃｃｓ，２，ｘｃｃｓ，３，ｘｃｃｓ，４，ｘｃｃｓ，５，ｘｃｃｓ，６，ｘｃｃｓ，７，ｘｍｓ，１，＝０００？？？？０
【００５７】
したがって、この例では、「低コストＨＳ−ＳＣＣＨタイプ１」が使用されているとき、ＨＳ−ＳＣＣＨパート１において送信され得る１５個の可能な制御情報ビットシーケンスのみが存在する。これらの可能なビットシーケンス（すなわち、符号語）は、図６に示される。
【００５８】
これらの可能なビットシーケンスは、したがって、本発明の実施形態によるＨＳ−ＳＣＣＨのパート１送信をデコーディングすることにおける使用のための符号語のセットのサブセットを予め決定する例を表す。ＵＥにおいて、これは、マスクされていない制御情報ビットシーケンスが、８つの制御情報ビットのいずれも予め決定されないレガシーＨＳ−ＳＣＣＨパート１送信についてのおよそ２５６個の符号語に対してではなく、この例では１５個の符号語に対してのみ相関される必要があることから、ＨＳ−ＳＣＣＨパート１のデコーディング複雑性が低減され得る（すなわち、より少ない仮説が試験される必要がある）ことを意味する。これが、ＢＬＥＲ（ブロック誤り率）、誤検出、およびミス検出性能の改善を可能にする。
【００５９】
例証の目的のため、レガシーＨＳ−ＳＣＣＨおよび本例「低コストＨＳ−ＳＣＣＨ」の両方について、特定の設定（１％ＢＬＥＲおよび誤検出率１０％未満を標的とする）を使用してシミュレーションが実行されている。レガシーおよび「低コストＨＳ−ＳＣＣＨ」（スロット０、すなわち、パート１）についてのミス検出、誤検出、およびＢＬＥＲ性能は、図７、図８、および図９にそれぞれ示される。
【００６０】
図７のグラフでは、ミス検出のパーセンテージが、レガシーＨＳ−ＳＣＣＨおよび本例「低コストＨＳ−ＳＣＣＨ」の両方についてＥｂ／Ｎｏ比の関数として低下することが分かる。しかしながら、ミス検出のパーセンテージは、「低コストＨＳ−ＳＣＣＨ」が利用されるときにより速く低下し、ミス検出の全体のパーセンテージが、「低コストＨＳ−ＳＣＣＨ」ではより低い。この分析においては、ＵＥによってミスされた送信はブロックエラーとして数えられるため、「ミス検出」の数がＢＬＥＲに影響を与えるということに留意されたい。
【００６１】
図８は、レガシーＨＳ−ＳＣＣＨおよび本例「低コストＨＳＣＣＨ」についての誤検出のパーセンテージ対Ｅｂ／Ｎｏを示すグラフである。誤検出のパーセンテージは、レガシーＨＳ−ＳＣＣＨおよび本例「低コストＨＳ−ＳＣＣＨ」の両方について、異なるＥｂ／Ｎｏ比の場合に実質的に同じであることが分かる。しかしながら、誤検出のパーセンテージは、「低コストＨＳ−ＳＣＣＨ」が使用されるときには、ほぼ半分、低減されることが分かる。
【００６２】
図９は、ここでもレガシーＨＳ−ＳＣＣＨおよび本例「低コストＨＳ−ＣＣＨ」についてのＢＬＥＲ対Ｅｂ／Ｎｏを示すグラフである。ＨＳ−ＳＣＣＨの場合の容認可能なＢＬＥＲターゲットは、およそ１％（すなわち、図９に描写されるプロットでは１０−２）である。その動作点において、「低コストＨＳ−ＳＣＣＨ」は、レガシー性能に対して約１．３ｄＢであるゲインを提供する。
【００６３】
上の例において、既定の制御情報ビットは所望の意味、すなわち、「１つのコード、ＱＰＳＫ」を有するレガシーシーケンスに従って固定されているため、有利には「低コストＨＳ−ＳＣＣＨ」がレガシーＵＥと互換性があることに留意されたい。したがって、レガシーＵＥは、依然として「低コストＨＳ−ＳＣＣＨ」をデコードすることができる。しかしながら、レガシーＵＥは、既定の制御情報ビットを活用しない。
【００６４】
さらに、上の例では、ＨＳ−ＳＣＣＨパート１内の１つまたは複数の制御情報ビットは予め決定される。しかしながら、いくつかの実施形態によると、ＨＳ−ＳＣＣＨパート２内の１つまたは複数の制御情報ビットは、加えて、または代替的に、本発明の実施形態により予め決定され得る。
【００６５】
例えば、ＨＳ−ＳＣＣＨパート１内のコードの数を固定することは、ＨＳ−ＳＣＣＨパート２上に搬送される制御情報の中身を限定する。例えば、１つのコードのみを使用することは、トランスポートブロックサイズ情報（６ビット）が起こり得るすべての範囲の「トランスポートブロック」サイズを使用しないことを示唆し、それが、トランスポートブロックサイズ情報ビットのうちのいくつかをさらに固定する可能性を開く。一般に、「低コスト」簡略化戦略は、ＨＳ−ＳＣＣＨパート２内のいくつかの他の制御情報フィールドに拡大され得る。例えば、「低コストＨＳ−ＳＣＣＨ」が有効化されるときに「チェイス結合」または「増分冗長」のいずれかが使用されるということが予め決定される場合、例えば、冗長およびコンスタレーションバージョン（３ビット）ビットシーケンスも固定され得る。
【００６６】
上の例において、１つまたは複数の既定の制御情報ビットは、ダウンリンク制御チャネル送信内で搬送され、こうしてＵＥによって受信される。しかしながら、上記に説明されるように代替的に、１つまたは複数の既定の制御情報ビットは、ダウンリンク制御チャネル送信から省略され得る。図３に戻って参照すると、この場合、３２４において、ダウンリンク制御チャネル送信にデコードすることは、１つまたは複数の省略された制御情報ビットの合計数に応じて、例えばパンクチャリングパターンを使用して、レートマッチングを適用することを含み得る。このレートマッチングは、したがって、ダウンリンク制御チャネル送信をエンコードすることに関してネットワークノードにおいて使用されるレートマッチングに対応し得る。したがって、ＵＥは、減少された数の制御情報ビットを回復することができる場合がある。このとき、ＵＥは、より少ない制御情報ビットをデコードすることができることのみを必要とするため、デコーディング複雑性が低減され得る。加えて、これは、有利には、例えばデコーダがビダビデコーダの場合には、ＵＥにおけるデコーダへのいかなる変調または大幅な変調なしに達成され得る。
【００６７】
本出願者は、デコーディング複雑性を低減するこの代替的な方法が、例えば、ＨＳ−ＳＣＣＨパート２に好適であり得ることを理解している。ＨＳ−ＳＣＣＨパート１およびＨＳ−ＳＣＣＨパート２は別個にデコードされるため、異なるデコーディング方法が、２つの部分に対して使用され得るということに留意されたい。ＨＳ−ＳＣＣＨパート２は、２つのスロットを介して送信され、ＨＳ−ＳＣＣＨパート１よりも大きい数の制御情報ビットすなわち１３ビット＋１６ビットＣＲＣを搬送し、それが、５３６８７０９１２（すなわち、２＾２９）個の符号語（ＨＳ−ＳＣＣＨパート１の場合の２５６個と比較して）を結果としてもたらす。したがって、２９ビットのうちの例えば６ビットが固定される場合、８３８８６０８個の符号語が依然として試験される必要があるはずである。したがって、この場合、ビダビデコーダなどの汎用デコーダを利用し、既定の制御情報ビットを省略することが、改善されたデコーディング性能を可能にし得る。例えば、ビダビデコーダは、より短い時間で最良のパスを検索することができる場合がある。
【００６８】
図１に関して上記に説明されるようなレガシー形式において、ＨＳ−ＳＣＣＨパート２を例とすると、１３ビット（Ｘｔｂｓ，Ｘｈａｐ，Ｘｒｖ，Ｘｎｄ）＋１６ビット（ＵＥ＿ＩＤ）＋８ビット（ゼロテール）＝３７ビットである。１／３  ＣＣ（１／３）のチャネル符号化７０は、ビットの数を１１１に増大させる。次いで、レートマッチング８０が、ビットの数を８０に減少させる。例えば、制御情報ビットのうちの６つが予め決定される場合、および削除される場合には、代わりに、７ビット（例えば、Ｘｈａｐ，Ｘｒｖ，Ｘｎｄ）＋１６ビット（ＵＥ＿ＩＤ）＋８ビット（ゼロテール）＝３１ビットである。ＣＣ（１／３）は、ビットの数を９３に増大させる。したがって、レートマッチングは、次いで、それらの９３ビットを８０ビットに減少させて、ＨＳ−ＳＣＣＨのスロット１および２に組み込むことが求められる。したがって、レガシー形式において、レートマッチングは、８０ビットの出力を提供するために、３１ビットを廃棄する。修正されたバージョンでは、例として、レートマッチングは、８０ビットの出力を提供するために、代わりに、１３ビットのみを廃棄する。この場合、例えばここでは１３ビットをパンクチャリングする、対応するレートマッチングが、送信された制御情報ビットを取得するために、ＵＥにおいて実行される必要がある。
【００６９】
図４は、本発明の好ましい実施形態によるダウンリンク制御チャネル送信をエンコードおよびデコードする方法を例証する。ＵＥにおいて実行され得るステップがページの左側に示され、ネットワークノードにおいて実行され得るステップがページの右側に示される。ステップのうちの少なくともいくつかは、フロー図に示されるものとは異なる順序で、または同時に、実行され得ることに留意されたい。
【００７０】
この例では、ネットワークノードは、ＵＥによって報告されるチャネル品質インジケータ（ＣＱＩ）内の情報を使用してチャネル状態がしきい値レベルを下回ると決定する。例えば、ＣＱＩが既定のしきい値を下回る値を報告する（劣悪な無線環境を示す）場合、ネットワークノードは、チャネル状態がしきい値レベルを下回ると決定し得る。
【００７１】
３００において、ＵＥは、ＣＱＩをネットワークノードに送る。２０２において、ネットワークノードは、ユーザ機器からＣＱＩを受信し、２０５において、ネットワークノードは、ＣＱＩを使用して、チャネル状態がしきい値レベルを下回ると決定する。チャネル状態がしきい値レベルを下回るという決定に応答して、ネットワークノードは、２１２または２１４において、上記に説明されるように、いくつかの既定の制御情報ビットをダウンリンク制御チャネル送信に、例えばダウンリンク制御チャネル送信の１つまたは複数のフィールドにエンコードする。２２０において、ネットワークノードは、ダウンリンク制御チャネル送信をＵＥに送信する。３１０において、ＵＥは、ダウンリンク制御チャネル送信を受信する。次いで、ＵＥは、有利には、３２０において、１つまたは複数の既定の制御情報ビットの知識に基づいてダウンリンク制御チャネル送信をデコードする。
【００７２】
図４に示されるように、ステップ３２０の前に、ＵＥはまた、３０２において、チャネル状態がしきい値レベルを下回ると決定し得る。これは、３０４において示されるようにＣＱＩ内で報告される情報を使用して行われ得る。したがって、この決定に応答して、ＵＥは、「低コストダウンリンク制御チャネル送信」（すなわち、１つまたは複数の既定の制御情報ビットを搬送する、または省略するダウンリンク制御チャネル送信）を予期し得る。したがって、この決定に応答して、ＵＥは、１つまたは複数の既定の制御情報ビットの知識に基づいてダウンリンク制御チャネル送信をデコードし得る。
【００７３】
しかしながら、他の実施形態が可能である。例えば、ＵＥにおいて異なるトリガが存在し得るか、そのようなトリガが存在しなくてもよい。後者の場合、ＵＥは、例えば、既定の制御情報ビットの知識を使用して受信された各ダウンリンク制御チャネル送信をデコードすることを単に試み、これに失敗した場合にのみ、受信されたダウンリンク制御チャネル送信を通常の様式でデコードすることを進め得る。または、逆に、ＵＥが、正常なデコーディングが失敗した場合に、既定の制御情報ビットの知識を使用して受信されたダウンリンク制御チャネル送信をデコードすることを単に試み得る。
【００７４】
ネットワークノードは、例えば図２および図４に関して上記に説明される方法のいずれかを実行するように設定され得る。
【００７５】
図１０および図１２は、本発明の実施形態によるネットワークノード１０００、１２００を例証する。ネットワークノードは、ＵＥにサーブする、および／または別のネットワークノードもしくはネットワーク素子またはＵＥがそこから信号を受信する任意の無線ノードに接続される、任意のタイプのネットワークノードであり得る。ネットワークノードは、基地局（例えばノードＢ）などの無線アクセスネットワークノード、または基地局コントローラと連携して動作する基地局であってもよい。いくつかの例において、ネットワークノードは、複数の分散型の部品またはネットワークノードを含み得る。
【００７６】
図１０に例証されるネットワークノード１０００は、トランシーバ回路１０１０および処理回路１０２０を備える。トランシーバ回路１０１０は、無線アクセステクノロジーに従って、例えば、ＧＳＭ（汎欧州デジタル移動電話方式）、ＧＰＲＳ（汎用パケット無線サービス）、ＷＣＤＭＡ（広帯域符号分割多重アクセス）、ＬＴＥ、ＬＴＥ−Ａｄｖａｎｃｅｄ、５Ｇなどの無線通信規格に従って、信号を送信および受信するようにまとめて設定される送信器回路、受信器回路、および関連制御回路を含み得る。処理回路１０２０は、トランシーバ回路１０１０と動作するように関連付けられ得る。処理回路１０２０は、１つまたは複数のデジタルプロセッサ、例えば１つまたは複数のマイクロコントローラ、デジタル信号プロセッサ（ＤＳＰ）、フィールドプログラマブルゲートアレイ（ＦＰＧＡ）、複合プログラマブル論理デバイス（ＣＰＬＤ）、特定用途向け集積回路（ＡＳＩＣ）、またはそれらの任意の組み合わせを備え得る。一般に、処理回路１０２０は、中で教示される機能性を実装するプログラム命令の実行により特別に設定される固定回路もしくはプログラマブル回路を備え得るか、または固定およびプログラマブル回路のいくつかの組み合わせを含み得る。処理回路１０２０はまた、メモリを備え得る。いくつかの実施形態において、メモリは、１つまたは複数のコンピュータプログラム、および任意選択的に設定データを格納し得る。メモリは、ディスクストレージ、ソリッドステートメモリストレージ、または例えばＳＲＡＭ（スタティックランダムアクセスメモリ）、ＤＲＡＭ（ダイナミックランダムアクセスメモリ、ＥＥＰＲＯＭ（電気的消去可能プログラマブル読取り専用メモリ）、およびフラッシュメモリなど、任意のタイプのコンピュータ可読媒体を含み得る。
【００７７】
処理回路１０２０は、トランシーバ回路１０１０を介して、チャネル状態がしきい値レベルを下回ると決定すること、チャネル状態がしきい値レベルを下回るという決定に応答して、いくつかの既定の制御情報ビットをダウンリンク制御チャネル送信の１つまたは複数のフィールドにエンコードすること、または、１つまたは複数の制御情報ビットを省略することによって、いくつかの制御情報ビットをダウンリンク制御チャネル送信にエンコードすることを行うように設定され得、１つまたは複数の省略された制御情報ビットが既定の制御情報ビットである。処理回路１０２０は、ダウンリンク制御チャネル送信をユーザ機器に送信するようにさらに設定され得る。
【００７８】
一般に、処理回路１０２０は、例えば図２および図４に関して説明される、上記に説明される方法のいずれかを実行するように設定され得る。
【００７９】
処理回路１０２０は、減少された数の制御情報ビットをダウンリンク制御チャネル送信にエンコードするとき、１つまたは複数の省略された制御情報ビットの合計数に応じて、例えばパンクチャリングパターンを使用して、レートマッチングを適用するようにさらに設定され得る。
【００８０】
いくつかの実施形態において、処理回路１０２０は、ユーザ機器からチャネル品質インジケータ（ＣＱＩ）を受信すること、およびチャネル品質インジケータ（ＣＱＩ）を使用してチャネル状態がしきい値レベルを下回ると決定することによって、チャネル状態がしきい値レベルを下回ると決定するように設定され得る。
【００８１】
ダウンリンク制御チャネル送信は、高速シグナリング制御チャネル（ＨＳ−ＳＣＣＨ）であり得る。１つまたは複数の既定の制御情報ビットは、少なくとも１つまたは複数のチャネライゼーションコードセット情報および変調方式情報ビットを含み得る。
【００８２】
図１２は、本発明のさらなる実施形態によるネットワークノード１２００を例証する。この実施形態において、ネットワークノード１２００は、チャネル状態がしきい値レベルを下回ると決定するための決定モジュール１２１０を備える。ネットワークノード１２００は、チャネル状態がしきい値レベルを下回るという決定に応答して、いくつかの既定の制御情報ビットをダウンリンク制御チャネル送信にエンコードすること、または、１つまたは複数の制御情報ビットを省略することによって、減少された数の制御情報ビットをダウンリンク制御チャネル送信にエンコードすることを行うためのエンコーディングモジュール１２２０を備え得、１つまたは複数の省略された制御情報ビットが既定の制御情報ビットである。ネットワークノード１２００は、ダウンリンク制御チャネル送信をユーザ機器に送信するための送信モジュール１２３０をさらに備える。
【００８３】
ダウンリンク制御チャネル送信が１つまたは複数の既定の制御情報ビットを省略するとき、エンコーディングモジュール１２２０は、１つまたは複数の省略された制御情報ビットの合計数に応じて、例えばパンクチャリングパターンを使用して、レートマッチングを適用するためのものであり得る。
【００８４】
いくつかの実施形態において、ネットワークノード１２００は、ユーザ機器からチャネル品質インジケータ（ＣＱＩ）を受信するための受信モジュール１２１５をさらに備え得る。この場合、決定モジュール１２１０は、チャネル品質インジケータ（ＣＱＩ）を使用してチャネル状態がしきい値レベルを下回ると決定するためのものであり得る。
【００８５】
上に示されるように、ダウンリンク制御チャネル送信は、高速シグナリング制御チャネル（ＨＳ−ＳＣＣＨ）であり得る。１つまたは複数の既定の制御情報ビットは、１つまたは複数のチャネライゼーションコードセット情報および変調方式情報ビットを含み得る。
【００８６】
決定モジュール１２１０、エンコーディングモジュール１２２０、送信モジュール１２３０、および受信モジュール１２１５は、ソフトウェアおよび／またはハードウェアの任意の組み合わせを備え得、また例えば、上に規定されるようなトランシーバ回路および／または処理回路を備え得る。モジュール１２１０、１２２０、１２３０、および１２１５は、統合され得るか、または任意の程度まで分散され得る。
【００８７】
同様に、ユーザ機器（ＵＥ）は、上記に説明される方法、例えば図３および図４に関して説明されるものいずれかを実行するように設定され得る。
【００８８】
図１１および図１３は、本発明の実施形態によるユーザ機器１１００、１３００を例証する。ユーザ機器１１００、１３００は、無線信号／エアインターフェースを介してネットワークノードまたは別のＵＥと通信することができる任意のタイプの無線デバイスであり得る。ユーザ機器１１００、１３００は、例えば、無線通信デバイス、標的デバイス、Ｄ２Ｄ（デバイスツーデバイス）ＵＥ、マシンツーマシンタイプの通信ができるＵＥ、ＵＥを備えたセンサ、パーソナルデジタルアシスタント（ＰＤＡ）、タブレット、モバイル端末、スマートフォン、ラップトップ型埋め込み機器（ＬＥＥ）、ラップトップ型備え付け機器（ＬＥ）、ＵＳＢドングル、顧客宅内機器（ＣＰＥ）であり得るが、これらに限らない。
【００８９】
図１１に例証される実施形態において、ユーザ機器１１００は、トランシーバ回路１１１０および処理回路１１２０を備える。トランシーバ回路１１１０は、無線アクセステクノロジーに従って、例えば、ＧＳＭ（汎欧州デジタル移動電話方式）、ＧＰＲＳ汎用パケット無線サービス）、ＷＣＤＭＡ（広帯域符号分割多重アクセス）、ＬＴＥ、ＬＴＥ−Ａｄｖａｎｃｅｄ、５Ｇなどの無線通信規格に従って、信号を送信および受信するようにまとめて設定される送信器回路、受信器回路、および関連制御回路を含み得る。処理回路１０２０は、トランシーバ回路１０１０と動作するように関連付けられ得る。処理回路１０２０は、１つまたは複数のデジタルプロセッサ、例えば１つまたは複数のマイクロコントローラ、デジタル信号プロセッサ（ＤＳＰ）、フィールドプログラマブルゲートアレイ（ＦＰＧＡ）、複合プログラマブル論理デバイス（ＣＰＬＤ）、特定用途向け集積回路（ＡＳＩＣ）、またはそれらの任意の組み合わせを備え得る。一般に、処理回路１１２０は、中で教示される機能性を実装するプログラム命令の実行により特別に設定される固定回路もしくはプログラマブル回路を備え得るか、または固定およびプログラマブル回路のいくつかの組み合わせを含み得る。処理回路１０２０はまた、メモリを備え得る。いくつかの実施形態において、メモリは、１つまたは複数のコンピュータプログラム、および任意選択的に設定データを格納し得る。メモリは、ディスクストレージ、ソリッドステートメモリストレージ、または例えばＳＲＡＭ（スタティックランダムアクセスメモリ）、ＤＲＡＭ（ダイナミックランダムアクセスメモリ、ＥＥＰＲＯＭ（電気的消去可能プログラマブル読み取り専用メモリ）、およびフラッシュメモリなど、任意のタイプのコンピュータ可読媒体を含み得る。
【００９０】
処理回路１１１０は、トランシーバ回路１１１０を介して、ネットワークノードからダウンリンク制御チャネル送信を受信するように設定され、ダウンリンク制御チャネル送信が、減少された数の制御情報ビットを搬送するように、ダウンリンク制御チャネル送信が、１つもしくは複数の既定の制御情報ビットを搬送するか、または１つもしくは複数の既定の制御情報ビットを省略する。処理回路１１１０は、既定の制御情報ビットの知識に基づいてダウンリンク制御チャネル送信をデコードするようにさらに設定される。
【００９１】
一般に、処理回路１１１０は、例えば図３および図５に関して説明される、上記に説明される方法のいずれかを実行するように設定され得る。
【００９２】
ダウンリンク制御チャネル送信が１つまたは複数の既定の制御情報ビットを搬送するとき、処理回路１１１０は、ダウンリンク制御チャネル送信の一部分を決定することにおける使用のために符号語のセットの既定のサブセットを使用して、ダウンリンク制御チャネル送信の一部分をデコードするように設定され得る。
【００９３】
ダウンリンク制御チャネル送信が１つまたは複数の決定された制御情報ビットを省略するとき、処理回路１１１０は、１つまたは複数の省略された制御情報ビットの合計数に応じて、例えばパンクチャリングパターンを使用して、レートマッチングを適用することによって、１つまたは複数の既定の制御情報ビットに基づいてダウンリンク制御チャネル送信をデコードするように設定され得る。
【００９４】
いくつかの実施形態において、処理回路１１１０は、チャネル品質インジケータ（ＣＱＩ）をネットワークノード１０００、１２００に送るようにさらに設定され得る。
【００９５】
いくつかの実施形態において、処理回路１１１０は、チャネル状態がしきい値レベルを下回ると決定し、チャネル状態がしきい値レベルを下回るという決定に応答して、１つまたは複数の既定の制御情報ビットの知識に基づいてダウンリンク制御チャネル送信をデコードするようにさらに設定され得る。
【００９６】
処理回路１１１０は、チャネル品質インジケータ（ＣＱＩ）内で報告される情報を使用することによってチャネル状態がしきい値レベルを下回ると決定するように設定され得る。
【００９７】
ダウンリンク制御チャネル送信は、高速シグナリング制御チャネル（ＨＳ−ＳＣＣＨ）であり得る。上で述べられるダウンリンク制御チャネルの一部分は、高速シグナリング制御チャネル（ＨＳ−ＳＣＣＨ）のパート１であり得る。
【００９８】
図１３は、本発明のさらなる実施形態によるユーザ機器１３００を例証する。ユーザ機器１３００は、ネットワークノードからダウンリンク制御チャネル送信を受信するための受信モジュール１３１０を備え、ダウンリンク制御チャネル送信が、減少された数の制御情報ビットを搬送するように、ダウンリンク制御チャネル送信が、１つまたは複数の既定の制御情報ビットを搬送するか、またはいくつかの既定の制御情報ビットを省略する。ユーザ機器１３００は、既定の制御情報ビットの知識に基づいてダウンリンク制御チャネル送信をデコードするためのデコーディングモジュール１３２０をさらに備え得る。
【００９９】
デコーディングモジュール１３２０は、ダウンリンク制御チャネル送信が１つまたは複数の既定の制御情報ビットを搬送するとき、ダウンリンク制御チャネル送信の一部分を決定することにおける使用のために符号語のセットの既定のサブセットを使用して、ダウンリンク制御チャネル送信の一部分をデコードするためのものであり得る。実施形態において、ＵＥは、ユーザ機器１３００内のメモリから符号語のセットの既定のサブセットを取得するための取得モジュール１３１５を備え得る。
【０１００】
デコーディングモジュール１３２０は、ダウンリンク制御チャネル送信が、減少された数の制御情報ビットを搬送するとき、１つまたは複数の省略された制御情報ビットの合計数に応じて、例えばパンクチャリングパターンを使用して、レートマッチングを適用するためのものであり得る。
【０１０１】
ユーザ機器１３００は、チャネル品質インジケータ（ＣＱＩ）をネットワークノードに送るための送信モジュール１３１２をさらに備え得る。
【０１０２】
いくつかの実施形態において、ユーザ機器１３００は、チャネル状態がしきい値レベルを下回ると決定するための決定モジュール１３１４をさらに備え得る。この場合、デコーディングモジュール１３２０は、チャネル状態がしきい値レベルを下回るという決定に応じて、１つまたは複数の既定の制御情報ビットの知識に基づいてダウンリンク制御チャネル送信をデコードするためのものであり得る。
【０１０３】
決定モジュールは、チャネル品質インジケータ（ＣＱＩ）内で報告される情報を使用することによってチャネル状態がしきい値レベルを下回ると決定するためのものであり得る。
【０１０４】
ダウンリンク制御チャネル送信は、高速シグナリング制御チャネル（ＨＳ−ＳＣＣＨ）であり得る。上で言及されるダウンリンク制御チャネルの一部分は、高速シグナリング制御チャネル（ＨＳ−ＳＣＣＨ）のパート１であり得る。
【０１０５】
受信モジュール１３１０、デコーディングモジュール１３２０、送信モジュール１３１２、取得モジュール１３１５、および決定モジュール１３１４は、ソフトウェアおよび／またはハードウェアの任意の組み合わせを備え得、また例えば、上に規定されるようなトランシーバ回路および／または処理回路を備え得る。モジュール１３１０、１３２０、１３３０、および１３１４は、統合され得るか、または任意の程度まで分散され得る。
【０１０６】
プロセッサ上で実行されるとき、上記に説明される方法のいずれかを実行するように設定されるコンピュータプログラムも提供され得る。コンピュータプログラムは、あくまでも例として、ディスクストレージ、ソリッドステートメモリストレージ、または例えばＳＲＡＭ（スタティックランダムアクセスメモリ）、ＤＲＡＭ（ダイナミックランダムアクセスメモリ、ＥＥＰＲＯＭ（電気的消去可能プログラマブル読取り専用メモリ）、およびフラッシュメモリなどの、非一時的なコンピュータ可読媒体に格納され得る。
【０１０７】
したがって、本発明の実施形態は、特に、劣悪な無線環境において、例えば、ＢＬＥＲ、ミス検出、および誤検出のうちの１つまたは複数の点で、ダウンリンク制御チャネル送信のデコーディング性能が改善され得るという利点を有する。したがって、有利には、ダウンリンク制御チャネルによって必要とされるダウンリンク電力は、低減され得るか、例えばネットワークカバレッジにおける対応する増大を伴って維持され得る。さらには、１つまたは複数の既定の制御情報ビットがダウンリンク制御チャネル送信において搬送されるといういくつかの実施形態は、有利には、後方互換性を有し得、それにより、レガシーＵＥは、デコーディング性能の改善から恩恵を受けることはできないが、依然としてダウンリンク制御チャネル送信をデコードすることが可能であり得る。
【図１】
2019530300.tif 000003
【図２】
2019530300.tif 000004
【図３】
2019530300.tif 000005
【図４】
2019530300.tif 000006
【図５ａ】
2019530300.tif 000007
【図５ｂ】
2019530300.tif 000008
【図５ｃ】
2019530300.tif 000009
【図６】
2019530300.tif 000010
【図７】
2019530300.tif 000011
【図８】
2019530300.tif 000012
【図９】
2019530300.tif 000013
【図１０】
2019530300.tif 000014
【図１１】
2019530300.tif 000015
【図１２】
2019530300.tif 000016
【図１３】
2019530300.tif 000017
【国際調査報告】
2019530300.tif 000018
2019530300.tif 000019
2019530300.tif 000020